(57)【要約】      （修正有）【課題】返信された袋体を廃棄せずに、フラップだけを取り替えることにより袋体の再度の使用を可能として、資源の浪費を防ぐ補助フラップを備えた袋体及び補助フラップを提供する。【解決手段】補助フラップは、上部に開口部を有する袋体本体の上部に取り付けられ、下部と上部に固定部を構成し、下部の固定部を開口部の長さと同一またはそれより短い長さとし、下部の固定部を袋体本体の上部に固定すると共に、上部の固定部を袋体本体の表面に固定して袋体本体の開口部を封緘する。【選択図】図２
0003157083.tif 000002
【実用新案登録請求の範囲】
【請求項１】
物品を収納して送信する上部に開口部を有する袋体本体の上部に取り付けられ、下部と上部に固定部を構成し、前記下部の固定部を前記開口部の長さと同一またはそれより短い長さとし、
前記下部の固定部を前記袋体本体の上部に固定すると共に、上部の固定部を袋体本体の表面に固定して袋体本体の開口部を封緘することを特徴とする補助フラップ。
【請求項２】
前記補助フラップの形状を、下部の固定部を一辺とする方形若しくは略方形、あるいは下部の固定部を一辺とする台形若しくは略台形としたことを特徴とする請求項１記載の補助フラップ。
【請求項３】
物品を収納して送信する開口部を有する袋体本体と、前記袋体本体の開口部を封緘する補助フラップを別体に構成し、この補助フラップを前記袋体本体に固定して開口部を封緘することを特徴とする補助フラップを備えた袋体。
【請求項４】
物品を収納して送信するビニール若しくはフィルムからなる上端に開口部を有する袋体本体と、ビニール若しくはフィルムからなる補助フラップとからなり、
前記補助フラップの下端縁に、補助フラップを袋体本体に貼着するための第１貼着部を構成し、この第１貼着部の上部にスペースを介して返信時に使用する第２貼着部を構成し、
補助フラップの上端縁に、送信時に使用する第３貼着部を構成し、
前記第１貼着部を袋体本体の上端縁に貼着したことを特徴とする補助フラップを備えた袋体。
【請求項５】
物品を収納して送信する紙製若しくは板紙製の封筒からなる上端に開口部を有する袋体本体と、紙製若しくは板紙製の補助フラップとからなり、
前記補助フラップの下端縁に、補助フラップを袋体本体に貼着するための第１貼着部を構成し、
この第１貼着部の上部に、返信先の宛名を覆うことのできるスペースを介して第２貼着部を構成し、
前記第１貼着部を袋体本体の上端縁に貼着したことを特徴とする補助フラップを備えた袋体。
【請求項６】
物品を収納して送信する板紙製の上端に開口部を有する袋体本体と、板紙製の補助フラップとからなり、
前記補助フラップの下端縁に、補助フラップを袋体本体に貼着するための第１貼着部を構成し、
この第１貼着部の上部に、スペースを介して返信時に使用する第２貼着部を構成し、
前記第１貼着部を袋体本体の上端縁に貼着したことを特徴とする補助フラップを備えた袋体。
【考案の詳細な説明】
【技術分野】
【０００１】
本考案は、ＣＤやＤＶＤあるいは書類等の物品を送信するために複数回使用できる袋体とそれに使用する補助フラップに関するものである。
【背景技術】
【０００２】
従来より、送信されてきた封筒を再利用する往復封筒が提案されていた。例えば、特許文献１記載の往復封筒は、幅が同一で長さが異なる二枚の長方形の紙片が、一短辺端部を揃えて三周縁部で接着され、接着されていない短辺端部が封入部となった封筒であって、前記封入部側の長い紙片の延長上に、返信用フラップと往信用フラップが順次形成され、返信用フラップの前記封入部が形成された側には返信用接着構造が形成され、往信用フラップの前記封入部が形成された側には再剥離構造を有する往信用接着構造が形成され、長さが短い紙片の表出面には返信用の宛先情報が形成され、往信用フラップの前記往信用接着構造が形成された面の裏面には、往信用の宛先情報記載欄が設けられたものである。
【先行技術文献】
【特許文献】
【０００３】
【特許文献１】特開２００９−４０４５７号公報
【０００４】
前記特許文献１に記載された発明の効果は、返信の際に返信用封筒が不要となり材料費が節約できる。返信用封筒が不要となった分、郵送代の範囲内で送付内容物を増やすことができることである。
【考案の概要】
【考案が解決しようとする課題】
【０００５】
前記特許文献１に記載された発明は、封筒を受領してから往信用フラップを引き剥がして内容物を取り出した後、返信用フラップを折り畳んで短い紙片に接着させて往復封筒を封緘して、返信するものである。
返信用として送付された後は、返信用フラップを開封するため、この後の使用はできなくなり封筒は廃棄されることになる。
【０００６】
本考案は、返信された封筒等を廃棄せずに、フラップだけを取り替えることにより再度の使用を可能として、資源の浪費を防ぐ補助フラップを備えた袋体及び補助フラップを提供することを目的とする。
【０００７】
なお、本明細書において袋体とは、ＣＤやＤＶＤを郵送するための合成樹脂製の袋状のもの、書類等の物品を宅配便で送信するための板紙製の収納体あるいは市販の封筒等、郵便や宅配便または郵便の荷物扱いで物品を送る際に使用されるものすべてを指し、材質、形状、大きさも各実施例に限定されず任意に決定できるものとする。
【課題を解決するための手段】
【０００８】
本考案は、物品を収納して送信する上部に開口部を有する袋体本体の上部に取り付けられ、下部と上部に固定部を構成し、前記下部の固定部を前記開口部の長さと同一またはそれより短い長さとし、前記下部の固定部を前記袋体本体の上部に固定すると共に、上部の固定部を袋体本体の表面に固定して袋体本体の開口部を封緘することを特徴とする補助フラップである。
【０００９】
本考案は、前記補助フラップの形状を、下部の固定部を一辺とする方形若しくは略方形、あるいは下部の固定部を一辺とする台形若しくは略台形としたことを特徴とする補助フラップである。
【００１０】
本考案は、物品を収納して送信する開口部を有する袋体本体と、前記袋体本体の開口部を封緘する補助フラップを別体に構成し、この補助フラップを前記袋体本体に固定して開口部を封緘することを特徴とする補助フラップを備えた袋体である。
【００１１】
本考案は、物品を収納して送信するビニール若しくはフィルムからなる上端に開口部を有する袋体本体と、ビニール若しくはフィルムからなる補助フラップとからなり、前記補助フラップの下端縁に、補助フラップを袋体本体に貼着するための第１貼着部を構成し、この第１貼着部の上部にスペースを介して返信時に使用する第２貼着部を構成し、補助フラップの上端縁に、送信時に使用する第３貼着部を構成し、前記第１貼着部を袋体本体の上端縁に貼着したことを特徴とする補助フラップを備えた袋体である。
【００１２】
本考案は、物品を収納して送信する紙製若しくは板紙製の封筒からなる上端に開口部を有する袋体本体と、紙製若しくは板紙製の補助フラップとからなり、前記補助フラップの下端縁に、補助フラップを袋体本体に貼着するための第１貼着部を構成し、この第１貼着部の上部に、返信先の宛名を覆うことのできるスペースを介して第２貼着部を構成し、前記第１貼着部を袋体本体の上端縁に貼着したことを特徴とする補助フラップを備えた袋体である。
【００１３】
本考案は、物品を収納して送信する板紙製の上端に開口部を有する袋体本体と、板紙製の補助フラップとからなり、前記補助フラップの下端縁に、補助フラップを袋体本体に貼着するための第１貼着部を構成し、この第１貼着部の上部に、スペースを介して返信時に使用する第２貼着部を構成し、前記第１貼着部を袋体本体の上端縁に貼着したことを特徴とする補助フラップを備えた袋体である。
【考案の効果】
【００１４】
送信されてきた袋体本体を廃棄せずに、補助フラップの交換により再度使用できるため、ゴミの減少化と資源の浪費を防ぎ、かつ返信時に封筒等の袋体を用意する手間が省けて、事務能率が向上する等の効果を奏する。
また袋体本体と補助フラップを、同質又は異質の材料を組合わせることにより、利用範囲が拡大し、資源の浪費が防止できる。
また補助フラップの形状を、下部の固定部を一辺とする方形若しくは略方形、台形若しくは略台形とした場合には、製作が容易であり、袋体本体への取り付け取り外しも容易に行える。
【００１５】
袋体本体をビニール若しくはフィルムによって作成し、補助フラップをビニール若しくはフィルムによって作成した場合には、補助フラップが袋体本体に対して着脱自在に取り付けることができるため、補助フラップの交換によって袋体本体が破損しない限り使用することができる。
【００１６】
袋体本体と補助フラップを紙製若しくは板紙製とし、第１貼着部の上部に、返信先の宛名を覆うことのできるスペースを介して第２貼着部を構成した場合には、補助フラップだけを用意することで、通常の紙製若しくは板紙製の封筒を容易に補助フラップを備えた袋体にすることができ、返信先の宛名を記載する手間が省けるため迅速正確に返信でき、通常の紙製若しくは板紙製の封筒を複数回使用することができる。
【００１７】
袋体本体と補助フラップを板紙製とした場合には、補助フラップだけを用意することで、通常の板紙製の袋体本体を容易に補助フラップを備えた袋体にすることができ、板紙製の袋体本体を複数回使用することができる。
【図面の簡単な説明】
【００１８】
【図１】実施例１の補助フラップの背面図
【図２】実施例１の補助フラップの袋体への取り付け状態を示す斜視図
【図３】実施例１の補助フラップの作用説明図
【図４】実施例１の袋体の送信時の斜視図
【図５】実施例１の袋体の開封時の斜視図
【図６】実施例１の袋体の返信時の斜視図
【図７】実施例２の補助フラップの正面図
【図８】実施例２の補助フラップの背面図
【図９】実施例２の補助フラップの取り付け状態を示す正面図
【図１０】実施例２の補助フラップの作用説明図
【図１１】実施例２の袋体の送信時の正面図
【図１２】実施例２の袋体の返信時の正面図
【図１３】実施例３の補助フラップの正面図
【図１４】実施例３の補助フラップの背面図
【図１５】実施例３の袋体の初期送信時の正面図
【図１６】実施例３の袋体の初期開封時の背面図
【図１７】実施例３の補助フラップの取り付け状態を示す説明図
【図１８】実施例３の補助フラップの作用説明図
【考案を実施するための形態】
【００１９】
本考案は、物品を収納して送信する袋体本体と、この袋体本体の上端と同一の長さを有し、上端縁と下端縁に貼着部を構成し、前記下端縁の貼着部を袋体本体の表面に貼着して袋体本体の上端の開口部を封緘する補助フラップとを別体に構成し、前記補助フラップの下端縁の貼着部を袋体本体の上端の開口部に取り付けた補助フラップを備えた袋体である。
【実施例１】
【００２０】
本考案の袋体の実施例１は、図１ないし図６に示すものであり、上端に開口部１３を有するビニール製の袋体本体１と、このビニール製の袋体本体１の上端に着脱自在に取り付けて、前記開口部１３を封緘するための補助フラップ２からなる。
【００２１】
前記袋体本体１は、表面１０と裏面１１の２枚の透明な塩化ビニールのシートからなり、内部にＣＤ１５を収納できる大きさで適当な強度を有している。この形状や大きさ、材質は、これに限定されず任意に選択できるものとする。
【００２２】
前記補助フラップ２は、長方形の薄い透明フィルムからなり、下部フラップ２Ａと上部フラップ２Ｂが、切取線２５を介して一体に構成されている。
【００２３】
前記下部フラップ２Ａの下端縁の全長にわたって、補助フラップ２を袋体本体１に着脱可能に貼着するための第１貼着部２１を構成し、この第１貼着部２１の上部にスペース２２を介して、返信時に使用する第２貼着部２３を構成すると共に、第２貼着部２３の上部にスペース２４を介して切取線２５を構成する。
【００２４】
前記上部フラップ２Ｂは、前記切取線２５の上部にスペース２６を介して上端縁の全長にわたって、送信時に使用する第３貼着部２７を構成してある。
【００２５】
前記の第１貼着部２１、第２貼着部２３、切取線２５および第３貼着部２７は、互いに平行に構成されている。また、スペース２２、スペース２４及びスペース２６も考案の効果を奏するように所定の大きさを有して構成されている。
【００２６】
なお、前記第１貼着部２１、第２貼着部２３及び第３貼着部２７の表面には剥離材（図示せず）が貼付されていて、貼着時には剥離して使用する。
【００２７】
次に実施例１の使用方法を説明する。
袋体本体１の内部にＣＤ１５を入れ、補助フラップ２の第１貼着部２１を袋体本体１の裏面１１の上端縁に貼着した後、図３のように補助フラップ２を下方に折り曲げて、第３貼着部２７を袋体本体１の表面１０に貼着して図４の状態とする。
このとき補助フラップ２の表面に送信先の宛名１８を、印刷あるいはシール等の手段で表示する。このようにして、ＣＤ１５を受領者に送信する。
【００２８】
受領者は袋体本体１を受け取った後、図５に示すように、第３貼着部２７を表面１０から剥がすと共に切取線２５から上部フラップ２Ｂを切り離し、袋体本体１の内部からＣＤ１５を取り出す。
【００２９】
返信時は、図６に示すように、袋体本体１内部に返信するＣＤ１６を入れ、第２貼着部２３を袋体本体１の表面１０に貼着して、下部フラップ２Ａで開口部１３を封緘し、表面１０に返信先の宛名１９を記入して返信する。
このとき表面１０に宛名１９を直接記入することもできるが、袋体本体１内部に宛名を記載したカード（図示せず）を挿入して宛名を表示することもでき、この方法は袋体本体１の再利用時により効果的である。
【００３０】
返信の受領者は、袋体本体１を受け取った後、内部のＣＤ１６を取り出したあと、下部フラップ２Ａ全体を袋体本体１から剥がして、袋体本体１に新たな補助フラップ２を貼着して図３の状態として、再度送信することができる。
【００３１】
このように、本実施例によれば、フィルム製の補助フラップ２を塩化ビニール製の袋体本体１と別体に作ったため、補助フラップ２は袋体本体１に対して着脱可能に固定することができる。そのため補助フラップ２を交換することで袋体本体１を何度でも使用することができ、資源の無駄を省き廃棄物を減少させ、かつ事務作業の効率化など経済的効果も大きい等の効果を有する。
なお、本実施例の他例としては、図示はしないが、袋体本体１をフィルム製とし補助フラップ２を塩化ビニール製とするものと、袋体本体１と補助フラップ２の両者を塩化ビニール製とし、あるいは両者をフィルム製とするものである。
【実施例２】
【００３２】
本考案の袋体の実施例２は、図７ないし図１２に示すものであり、袋体本体である書類を収納する封筒３と、この封筒３の上端に取り付けて、封筒３の開口部を封緘する補助フラップ４からなる。前記封筒３は市販の紙製封筒であり、形状や大きさ、材質は任意に選択できる。たとえば、封筒３を後述の板紙製とすることもできる。
【００３３】
本実施例は、補助フラップ４は封筒３と同質の紙製であり、封筒３の上端の長さと同一の長さを有する台形であるが、これに限定されず、補助フラップ４は封筒３と異質の紙製若しくはビニール又はフィルム製でも良く、封筒３の上端の長さより少し短い長さの台形以外の形状（図示せず）でも構成できる。
この補助フラップ４の下端縁の全長にわたって第１貼着部４２を構成し、この第１貼着部４２の上部に返信先の宛名を覆うことのできるスペース４３を介して、上端縁の全長にわたって第２貼着部４５を構成している。また、この第２貼着部４５の下縁に沿って、切取線４４を構成する。
さらに第１貼着部４２の上部に切取線４６、折れ線４７を貼着部４２に平行に構成している。この折れ線４７は封筒３の上端にあわせて固定するための目印の役目もする。
なお、第１貼着部４２および第２貼着部４５の表面には剥離材（図示せず）が貼付されている。
【００３４】
次に実施例２の使用方法を説明する。
封筒３の内部に書類（図示せず）を入れた後、封筒３の表面３０の上部に返信先の宛名３９を記入する。
次いで図９のように、封筒３の裏面３１の上端縁に補助フラップ４の第１貼着部４２を貼着して、図１０のように補助フラップ４を折れ線４７によって折り曲げて、前記返信先の宛名３９より下方位置の表面３０に、第２貼着部４５を貼着して図１１の状態とする。
このとき補助フラップ４の表面に送信先の宛名３８を、印刷あるいはシール等の手段で表示する。このようにして受領者に送信する。
【００３５】
受領者は封筒３を受け取った後、切取線４４から補助フラップ４を切り離して、第２貼着部４５を表面３０に残した状態で開封して、封筒３の内部の書類を取り出す（図１２参照）。
【００３６】
返信時は、図１２に示すように封筒３内部に返信物（図示せず）を入れ、補助フラップ４のスペース４３を、切取線４６あるいは折れ線４７によって切り離して、封筒３のフラップ３５を封筒３の表面３０に貼着して送信する。
このとき、封筒３の表面３０には、返信先の宛名３９が予め記載されており、これを覆っていた補助フラップ４のスペース４３部分が切り取られているから、宛名３９が表面に露出するのである。
また返信先の宛名３９の部分を窓あき部とし、内部に予め返信用宛名台紙を封入セットしておいても良い。
【００３７】
前記返信された封筒を受け取った後、フラップ３５を開封して返信物を取り出し、この封筒３の上端に、前記と同様に補助フラップ４を貼付して送信することもできる。
【００３８】
本実施例の他例としては、予め補助フラップ４のみを所持しておき、市販の封筒で送信されてきたら、当該封筒のフラップを開封の後、補助フラップ４を取り付けて送信できる。
これによれば、例えば企業の本支店間の往復等に再びその封筒を利用できる。
【００３９】
このように、本実施例によれば、通常市販されている封筒３を利用して、別体に作った補助フラップ４を使用することで、封筒３を往復封筒として使用することができ、資源の無駄を省き廃棄物を減少させ、かつ経済的効果も大きい等の効果も有する。
【実施例３】
【００４０】
本考案の補助フラップを備えた袋体の実施例３は、図１３ないし図１８に示すものであり、袋体本体である書類その他の物品の収納体７と、この収納体７の上端表面に固定して、上端の開口部を封緘する補助フラップ６からなる。
前記収納体７は宅配便に使用されている厚手の紙製すなわち板紙製であり、形状や大きさ材質、厚さなどは、任意に選択できる。
【００４１】
補助フラップ６は収納体７と同質の板紙製であり、収納体７の上端の長さと同一の長さを有する略長方形である。
補助フラップ６の下端縁の全長にわたって貼着部６１を構成し、この貼着部６１の上部にスペース６３を介して、補助フラップ６の上端縁の全長にわたって貼着部６４が構成されている。貼着部６１の上部に沿って折れ線６２が構成されている。
なお、前記貼着部６１、折れ線６２および貼着部６４は互いに平行に構成されている。
また、前記貼着部６１および貼着部６４の表面には剥離材（図示せず）が貼着されている。
【００４２】
次に実施例３の使用方法を説明する。
まず、図１５のように初期状態で送られてきた収納体７のフラップ７２を切り取って、内部の物品（図示せず）を取り出す（図１６参照）。
このとき、フラップ７２を切り取らずに、物品を取り出した後、収納体７の内部に入れても良い。
次いでこの収納体７を再度使用して物品を送る場合、図１７に示すように、収納体７の表面７０の上端に補助フラップ６の貼着部６１を貼着し、収納体７の内部に物品を入れ、補助フラップ６を折れ線６２から折り曲げて、貼着部６４を裏面７１に貼着する（図１８参照）。
このとき収納体７の表面７０に返信先の宛名６９を、送信された宛名６８の上にかぶせて表示する。このようにして受領者に送信する。
【００４３】
前記受領者は、収納体７を受け取った後、折れ線６２からフラップ６を切り取って貼着部６４を裏面７１から剥がして、収納体７の内部の物品を取り出す。
【００４４】
その後、再度送信する時は、再び補助フラップ６を前記と同様に収納体７に貼着すればよい。
【００４５】
このように本実施例によれば、収納体が板紙であるため、補助フラップを数回貼りなおして使用することで、袋体を何回も往復して使用することができ、資源の無駄を省き廃棄物を減少させ、かつ事務作業の効率化などの経済的効果も大きい等の効果も有する。
【００４６】
前記各実施例の固定部は、補助フラップを袋体本体の上端外側に固定する場合を表わしているが、補助フラップを袋体本体の上端内側に固定することもできる。
また、袋体本体に固定する手段として、剥離紙を剥がして固定する粘着方法と、ベルベットファスナ、チャック、ファスナー等の固定手段も使用できる。
【符号の説明】
【００４７】
１    ビニール製の袋体本体（袋体本体）
２    補助フラップ
２Ａ  下部フラップ
２Ｂ  上部フラップ
３    封筒（袋体本体）
４    補助フラップ
６    補助フラップ
７    収納体（袋体本体）
１０  袋体本体の表面
１１  袋体本体の裏面
２１  第１貼着部
２２  スペース
２３  第２貼着部
２４  スペース
２５  切取線
２７  第３貼着部
４２  第１貼着部
４４  切取線
４５  第２貼着部
６１  貼着部
６２  折れ線
６３  スペース
６４  貼着部
【図１】
0003157083.tif 000003
【図２】
0003157083.tif 000004
【図３】
0003157083.tif 000005
【図４】
0003157083.tif 000006
【図５】
0003157083.tif 000007
【図６】
0003157083.tif 000008
【図７】
0003157083.tif 000009
【図８】
0003157083.tif 000010
【図９】
0003157083.tif 000011
【図１０】
0003157083.tif 000012
【図１１】
0003157083.tif 000013
【図１２】
0003157083.tif 000014
【図１３】
0003157083.tif 000015
【図１４】
0003157083.tif 000016
【図１５】
0003157083.tif 000017
【図１６】
0003157083.tif 000018
【図１７】
0003157083.tif 000019
【図１８】
0003157083.tif 000020